(57)【要約】【課題】地下鉄、地下商店街、高層ビルなどの密閉された空間で火災が発生したときに出る有毒ガスや煙を確実に遮断するとともに避難者が容易に脱出できるようにする。【解決手段】羽毛状の不燃性繊維を帯状に加工してスクリーンエレメント６ａを形成し、このスクリーンエレメント６ａを多数枚、縦向きに互いに一部分が重なるように並べて防煙スクリーン６を構成する。この防煙スクリーン６を煙りの進入路に配置し、この防煙スクリーン６の上部に水供給部４を設ける。火災発生時、水供給部４からシャワー状に水を落下させ、各スクリーンエレメント６ａに水分を含ませる。スクリーンエレメント６ａは水の表面張力により、互いに密着し防煙幕を構成し該防煙幕により煙りの通過を阻止する。【選択図】図１
2004321628.tif 000002
【特許請求の範囲】
【請求項１】
火災時の煙の進入を防煙スクリーンで遮断するための避難用防煙装置であって、不燃性シート材を帯状に加工してスクリーンエレメントを形成し、該スクリーンエレメントを複数枚、縦向きに互いに一部分が重なるように並べて防煙スクリーンを構成し、該防煙スクリーンを煙りの進入路に配置し、該防煙スクリーンの上部に水供給部を設け、該水供給部からシャワー状に水を落下させて前記各スクリーンエレメントに水分を含ませ水の表面張力により、各スクリーンエレメントを互いに密着させて防煙幕を構成し、該防煙幕により煙りの通過を阻止するようにしたことを特徴とする避難用防煙装置。
【請求項２】
前記スクリーンエレメントを羽毛状又はフイルム状の不燃性物質により構成したことを特徴とする請求項１に記載の避難用防煙装置。
【請求項３】
前記スクリーンエレメントに不燃性のゴムやばね等の伸縮部材を結合して各スクリーンエレメントに伸縮性を保有させ、前記防煙スクリーンを左右に広げて避難者が通過できるようにしたことを特徴とする請求項１に記載の避難用防煙装置。
【請求項４】
前記防煙スクリーンの上部と下部を枠体に取り付け、該枠体を、避難通路の側方に設けた格納部に収納可能とし、前記枠体を前記格納部に収納された状態と前記避難通路を塞ぐ位置との間で揺動可能に支持したことを特徴とする請求項１に記載の避難用防煙装置。
【請求項５】
前記枠体を駆動装置に連結し、火災発生時に、前記駆動装置の駆動により、前記枠体が、前記格納部に収納された状態から前記避難通路を塞ぐ位置の方向に自動的に駆動されるようにしたことを特徴とする請求項４に記載の避難用防煙装置。
【発明の詳細な説明】
【０００１】
【発明の属する技術分野】
本発明は、水の表面張力を利用した避難用防煙装置に関する。
【０００２】
【従来の技術】
耐火性のシートを用いて防火防煙シャッターを構成することが従来知られている（例えば特許文献１参照）。
【０００３】
【特許文献１】
特開２００２−２９１９１５号公報（第１ページ、第１図）
【０００４】
【発明が解決しようとする課題】
耐火性のシートで防火防煙シャッターを構成した場合、耐火性の優れたシートを使用する必要があるが、この種の耐火性の優れたシートは高価である。また、耐火性シートで避難通路を遮蔽した場合、避難者が通過可能な避難口となる開口部を設ける必要があり、構造が複雑となるという問題点がある。
本発明は上記問題点を解決することを目的とする。
【０００５】
【課題を解決するための手段】
上記目的を達成するため、本発明は、火災時の煙の進入を防煙スクリーンで遮断するための避難用防煙装置であって、不燃性シート材を帯状に加工してスクリーンエレメントを形成し、該スクリーンエレメントを複数枚、縦向きに互いに一部分が重なるように並べて防煙スクリーンを構成し、該防煙スクリーンを煙りの進入路に配置し、該防煙スクリーンの上部に水供給部を設け、該水供給部からシャワー状に水を落下させて前記各スクリーンエレメントに水分を含ませ水の表面張力により、各スクリーンエレメントを互いに密着させて防煙幕を構成し、該防煙幕により煙りの通過を阻止するようにしたものである。
また本発明は、前記スクリーンエレメントを羽毛状又はフイルム状の不燃性物質により構成したものである。
また本発明は、前記スクリーンエレメントに不燃性のゴムやばね等の伸縮部材を結合して各スクリーンエレメントに伸縮性を保有させ、前記防煙スクリーンを左右に広げて避難者が通過できるようにしたものである。
また本発明は、前記防煙スクリーンの上部と下部を枠体に取り付け、該枠体を、避難通路の側方に設けた格納部に収納可能とし、前記枠体を前記格納部に収納された状態と前記避難通路を塞ぐ位置との間で揺動可能に支持したものである。
また本発明は、前記枠体を駆動装置に連結し、火災発生時に、前記駆動装置の駆動により、前記枠体が、前記格納部に収納された状態から前記避難通路を塞ぐ位置の方向に自動的に駆動されるようにしたものである。
【０００６】
【発明の実施の形態】
以下に本発明の実施の形態を添付した図面を参照して詳細に説明する。
図１において、２は枠体であり、金属などの不燃性材により構成されている。
枠体２の上辺部には細長状の水タンクから成る水供給部４が固設されている。前記水供給部４はチューブ、配管を介して、水道管、あるいはビルの貯水槽に連結し、該水供給部４に水が供給されるように構成されている。
【０００７】
前記水供給部４の底部には無数の小さな穴が形成され、水供給部４内の水がシャワー状に枠体２の横幅全域に亘って降り注ぐようになっている。前記枠体２の上辺部と下辺部２ａとの間には、多数の帯状のスクリーンエレメント６ａが、図２及び図３（Ａ）に示すように、縦向きに互いに部分的に重なるように配置され、各スクリーンエレメント６ａの上部は、枠体２の上辺部に取り付けられ、各スクリーンエレメント６ａの下部は、枠体２の下辺部２ａに取り付けられている。
【０００８】
前記帯状の各スクリーンエレメント６ａは、羽毛状の不燃性繊維から構成され、水を吸収し易い構造となっている。尚、スクリーンエレメント６ａは、羽毛状の不燃性繊維に特に限定されるものではなく、フイルム状の不燃性物質等種々の素材を用いることが可能である。枠体２で囲まれた領域は、多数のスクリーンエレメント６ａから成る防煙スクリーン６を構成し、この防煙スクリーン６を避難者が通過できるように、各スクリーンエレメント６ａは、ゴムやスプリングを介して、枠体２の上辺部又は下辺部２ａに取り付けられ、各スクリーンエレメント６ａに伸縮性を持たせている。
【０００９】
前記枠体２の側辺部２ｂ，２ｃの下方には床面に延びる足部２ｄ，２ｅが形成され、該足部２ｄ，２ｅ間に、水受けタンク８が配置され、該タンク８は、前記枠体２の下辺部２ａの下方に位置して、枠体２側に固定されている。前記水受けタンク８は、チューブ（図示省略）を介して、建物に装備された排水路に連結している。前記枠体２の側辺部２ｂ，２ｃのうち、一方の側辺部２ｃは、建物の避難通路の天井に回転自在に支承されている。
【００１０】
建物の避難通路の側壁にはスクリーン格納部１０が形成され、この格納部１０に前記枠体２を収納することができるように構成されている。前記枠体２の側辺部２ｃは、建物に装備された駆動装置（図示省略）に連結し、該駆動装置の駆動によって、枠体２の全体が格納部１０内に収納された状態と、この収納状態から９０度揺動した避難通路を塞ぐ遮蔽状態との間で、回動し得るように構成されている。
【００１１】
上記した構成において、通常は、枠体２は、スクリーン格納部１０内に収納され、避難通路から引っ込んだ状態となっている。火災が発生すると、火災感知器（図示省略）が作動し、この信号によって駆動装置が駆動されて、枠体２が、側辺部２ｃを中心として、９０度、床面に対して水平な平面内で揺動する。この枠体２の、９０度の揺動により、避難通路は、防煙スクリーン６によって塞がれる。
【００１２】
一方、水供給部４に水道管あるいは貯水槽に連通するチューブから水が供給され、水供給部４に供給された水がシャワー状に防煙スクリーン６全体に亘って両面に降り注がれる。このとき、各スクリーンエレメント６ａは、上からシャワー状に降ってくる水により、多量の水を吸収し、水の表面張力により、一枚、一枚が互いに密着する。スクリーンエレメント６ａの各々が水の表面張力で密着することにより、防煙スクリーン６は、煙や有毒ガスを通さない遮蔽幕状態となる。
【００１３】
水供給部４の上部と避難通路の天井壁面との間の隙間、水受けタンク８の下面と避難通路の床面との間の隙間等から、煙や有毒ガスが通過しないように、これらの隙間は、不燃材によるシール部材（図示省略）により塞がれている。火災時、避難通路に進入した煙や有毒ガスは、防煙スクリーン６によって遮蔽され、防煙スクリーン６を通過することができない。一方、避難者は、防煙スクリーン６を左右に広げてそこから通り抜けることができ、安全な場所に避難することができる。
【００１４】
本実施形態では、火災時に、水供給部４に水道や貯水槽から水が供給される構成としたが、この構成に特に限定されるものではなく、水供給部４を２層構造とし、常時、水排出口が弁で閉じられた水貯蔵部内に水を満たしておき、火災時、水排出口を開いて、水貯蔵部内の水をシャワー排出部に移し、このシャワー排出部から水をシャワー状に落下させる構成としても良い。また、各スクリーンエレメントの形状や重ね合わせ構造は、図３（Ｂ）（Ｃ）（Ｄ）に示すように、種々の形状及び重ね合わせ構造とすることができる。
【００１５】
図４及び図５は、スクリーンエレメントの他の実施形態を示している。各スクリーンエレメント６ａの両側部には、水を含むのに適した羽毛状部分６ｂが設けられている。また、各スクリーンエレメント６ａには、水路部１２が、上下方向に適宜の間隔を存して多数段形成されている。前記水路部１２は、スクリーンエレメント６ａの表面に突出し、正面形状が山型に形成されている。
【００１６】
羽毛状部分６ｂが重なり合った隣接するスクリーンエレメント６ａ，６ａの水路部１２は、互いに逆向きに交互に突出するように各スクリーンエレメント６ａが配置されている。前記各水路部１２の突出高さは各スクリーンエレメント６ａの中央部分が一番高く、左右方向に向けて低くなるように形成されている。
【００１７】
上記した構成において、スクリーン６の上部から水をシャワー状に落下させたとき、水がスクリーンエレメント６ａの水路部１２によって、左右の羽毛状部分６ｂに案内され、水が重なり合った羽毛状部分６ｂに集中する。これにより、水の表面張力が最大限活用され、各スクリーンエレメント６ａは、互いに密着し、煙の通過を確実に阻止する。
【００１８】
【発明の効果】
本発明は上述の如く、水の表面張力を利用して帯状シートを密着させ煙を遮断するようにしたので、防煙性に優れ、しかも避難者の脱出が容易である等の効果がある。
【図面の簡単な説明】
【図１】本発明の実施形態を示す外観説明図である。
【図２】スクリーンの拡大断面図である。
【図３】スクリーンの説明図である。
【図４】スクリーンの他の実施形態を示す正面説明図である。
【図５】スクリーンの他の実施形態を示す断面図である。
【符号の説明】
２      枠体
４      水供給部
６      防煙スクリーン
６ａ    スクリーンエレメント
６ｂ    羽毛状部分
８      水受けタンク
１０    スクリーン格納部
１２    羽毛状部分
【図１】
2004321628.tif 000003
【図２】
2004321628.tif 000004
【図３】
2004321628.tif 000005
【図４】
2004321628.tif 000006
【図５】
2004321628.tif 000007